(57)【要約】【課題】消波用ブロックへの着脱を容易に行うことができる波力発電装置を提供する。【解決手段】波力発電装置は固定床部材３０を消波用ブロック１０に載置して固定される。消波用ブロック１０の前壁部１１は鉛直方向に伸びた複数のスリット状の第１前開口部１１Ａが形成されている。第１前開口部１１Ａは消波用ブロック１０の内部に形成された第１消波用空間Ｒ１と外部とを連通している。消波用ブロック１０の上壁部１９は第１消波用空間Ｒ１の上方を開口した上開口部１９Ａが形成されている。波力発電装置は、固定床部材３０、水車４０、及び発電装置５０を備えている。水車４０は軸部４１が固定床部材３０に貫通して回転自在に取り付けられている。この水車４０は消波用ブロック１０の上開口部１９Ａから第１消波用空間Ｒ１内に挿入される。発電装置５０は固定床部材３０上に取り付けられている。この発電装置５０は水車４０が回転することによって発電する。【選択図】図１
2017020402.tif 000002
【特許請求の範囲】
【請求項１】
岸壁に設置された状態で鉛直方向に伸び、内部に形成された消波用空間と外部とを連通する複数のスリット状の前開口部が形成された前壁部と、前記消波用空間の上方を開口した上開口部が形成された上壁部とを有した消波用ブロックに載置して固定される固定床部材と、
軸部が前記固定床部材に貫通して回転自在に取り付けられ、前記上開口部から前記消波用空間内に挿入される水車と、
前記固定床部材に取り付けられており、前記水車が回転することによって発電する発電装置と、
を備えていることを特徴とする波力発電装置。
【請求項２】
前記固定床部材から垂下し、前記消波用ブロックの前記前開口部に重ね合わせられるスリット状の開口部を有した前板を備えていることを特徴とする請求項１記載の波力発電装置。
【請求項３】
前記固定床部材は防水性を有し、前記軸部が水密状に貫通して回転自在に取り付けられ、前記消波用空間から前記固定床部材よりも上方に水が流出することを防止することを特徴とする請求項１又は２記載の波力発電装置。
【請求項４】
前記固定床部材が前記消波用ブロックに載置された状態で、この消波用ブロックの前記前壁部から前記水車よりも離れた位置で前記固定床部材から垂下する一対の縦枠と、
この一対の縦枠の上端部と下端部とを斜めに連結する連結枠と、
前記水車の下方に配置され、前記一対の縦枠の下端に連結する下枠と、
を備えていることを特徴とする請求項１乃至３のいずれか１項記載の波力発電装置。
【請求項５】
前記固定床部材が前記消波用ブロックに載置された状態で、この消波用ブロックの前記前壁部に形成された前記前開口部の左右両端縁から前記消波用空間内に伸びて、前記前開口部から離れるにつれて互いの間の寸法が大きくなる一対の整流板を備えていることを特徴とする請求項１乃至４いずれか１項記載の波力発電装置。
【発明の詳細な説明】
【技術分野】
【０００１】
本発明は波力発電装置に関するものである。
【背景技術】
【０００２】
特許文献１の図１及び図２は従来の波力発電装置を開示している。波力発電装置は消波用ブロックに取り付けられている。消波用ブロックは前壁部と上壁部とを具備している。消波用ブロックの前壁部は、岸壁に消波用ブロックを設置した際、鉛直方向に伸びたスリット状の前開口部を有している。前開口部は消波用ブロックの内部に形成された消波用空間と外部とを連通している。波力発電装置は、複数の水車、及び発電装置を備えている。水車は、軸部と、軸部の周りに形成された回転翼部とを有している。軸部は、消波用ブロックの上壁部を貫通して鉛直方向に伸びている。回転翼部は前開口部に沿って消波用空間内に垂下している。発電装置は、複数の油圧ポンプ、作動油の循環路、一つの油圧モーター、及び一つの発電機を有している。油圧ポンプは、水車の軸部の上端が連結した状態で、消波用ブロックの上壁部に載置され固定されている。循環路は複数の油圧ポンプと一つの油圧モーターとを連通している。油圧モーターは複数の油圧ポンプが給排する作動油によって回転する。発電機は、油圧モーターに連結されており、油圧モーターの駆動によって発電する。この波力発電装置は、複数の水車が回転することによって、一つの油圧モーターが駆動され、発電機が発電する。このため、この波力発電装置は各水車の回転がばらついても安定的に発電することができる。
【先行技術文献】
【特許文献】
【０００３】
【特許文献１】特開２０１３−２０９９７８号公報
【発明の概要】
【発明が解決しようとする課題】
【０００４】
しかし、特許文献の波力発電装置は、消波用ブロックに水車や油圧ポンプ等を個別に取り付ける必要がある。このため、この波力発電装置は消波用ブロックへの取り付けに手間を要する。また、この波力発電装置は、メンテナンスをする際も、消波用ブロックに対する水車や油圧ポンプ等の取り外し及び取り付けに手間を要する。
【０００５】
本発明は、上記従来の実情に鑑みてなされたものであって、消波用ブロックへの着脱を容易に行うことができる波力発電装置を提供することを解決すべき課題としている。
【課題を解決するための手段】
【０００６】
本発明の波力発電装置は固定床部材を消波用ブロックに載置して固定される。消波用ブロックは前壁部と上壁部とを有している。消波用ブロックの前壁部は、消波用ブロックが岸壁に設置された状態で鉛直方向に伸びた複数のスリット状の前開口部が形成されている。前開口部は消波用ブロックの内部に形成された消波用空間と外部とを連通している。消波用ブロックの上壁部は消波用空間の上方を開口した上開口部が形成されている。波力発電装置は、固定床部材、水車、及び発電装置を備えている。水車は軸部が固定床部材に貫通して回転自在に取り付けられている。この水車は消波用ブロックの上開口部から消波用空間内に挿入される。発電装置は固定床部材上に取り付けられている。この発電装置は水車が回転することによって発電する。
【０００７】
この波力発電装置は固定床部材に水車及び発電装置が取り付けられている。このため、この波力発電装置は、固定床部材を消波用ブロックに載置して固定する際に、水車を消波用ブロックの上壁部の上開口部から消波用空間内に挿入して配置することができ、かつ、発電装置を消波用ブロックに組み付けることができる。また、この波力発電装置は、固定床部材を消波用ブロックから取り外せば、水車を消波用空間から引き抜くことができ、かつ発電装置を消波用ブロックから取り外すことができる。
【０００８】
したがって、本発明の波力発電装置は消波用ブロックへの着脱を容易に行うことができる。
【０００９】
本発明の波力発電装置は固定床部材から垂下した前板を備えている。この前板は消波ブロックの前開口部に重ね合わせられるスリット状の開口部を有している。この場合、波力発電装置は、水車が取り付けられている固定床部材から垂下した前板に開口部を形成しているため、水車と、波が流入出する開口部との位置関係を予め正確に所定の位置に設定することができる。これにより、この波力発電装置は、消波ブロックの前開口部に対して水車の位置を容易に最適な位置に配置することができる。このため、この波力発電装置は消波ブロックの前開口部に対する水車の位置の調整に手間をかけることなく、開口部を流入出する波が水車を効率よく回転させ、発電することができる。
【００１０】
本発明の波力発電装置の固定床部材は防水性を有し、軸部が水密状に貫通して回転自在に取り付けられており、消波用空間から固定床部材よりも上方に水が流出することを防止する。この場合、この波力発電装置は、消波用空間内の水が固定床部材上に流出せず、固定床部材上に取り付けられた発電装置が水に浸漬することを防止することができる。また、この発電装置は、作動流体が発電装置から漏出しても、作動流体が固定床部材から外へ漏出することを抑えることができる。このため、この波力発電装置は、長期間、良好に発電することができる。
【００１１】
本発明の波力発電装置は、一対の縦枠、連結枠、及び下枠を備えている。一対の縦枠は固定床部材が消波用ブロックに載置された状態で、消波用ブロックの前壁部から水車よりも離れた位置で固定床部材から垂下する。連結枠は一対の縦枠の上端部と下端部とを斜めに連結する。下枠は水車の下方に配置され、一対の縦枠の下端に連結する。この場合、この波力発電装置は水車を消波用空間に出し入れする際、水車が消波用ブロックの上壁部等に衝突することを防止することができる。
【００１２】
本発明の波力発電装置は一対の整流板を備えている。一対の整流板は固定床部材が消波用ブロックに載置された状態で、消波用ブロックの前壁部に形成された前開口部の左右両端縁から消波用空間内に伸びて、前開口部から離れるにつれて互いの間の寸法が大きくなる。この場合、この波力発電装置は消波用空間内で波が淀みなく前板の開口部及び消波用ブロックの前開口部を流入出することができる。
【図面の簡単な説明】
【００１３】
【図１】実施形態１の波力発電装置を消波用ブロックに固定した状態を示す斜視図である。
【図２】実施形態１の波力発電装置を示す斜視図である。
【図３】実施形態１の波力発電装置を消波用ブロックに固定した際の消波用空間内を示す断面図である。
【図４】実施形態１の波力発電装置の液圧回路図である。
【発明を実施するための形態】
【００１４】
本発明の波力発電装置を具体化した実施形態１について、図面を参照しつつ説明する。
【００１５】
＜実施形態１＞
実施形態１の波力発電装置は、図１に示すように、消波用ブロック１０に載置して固定される。複数個の消波用ブロック１０が岸壁に沿って設置される。消波用ブロック１０は後述する後壁部１５が岸壁側に位置して設置される。消波用ブロック１０は、コンクリートで形成されており、外形が略直方体形状である。この消波用ブロック１０は、前壁部１１、左右側壁部１３，１３、後壁部１５、及び底壁部１７を有している。
【００１６】
前壁部１１は、平板状であり、左右方向に長い長方形状である。ここで、左右方向とは消波用ブロック１０が岸壁に設置された状態で岸壁が水平方向で伸びている方向（図１の両矢印Ｘ方向）である（以下、同じ。）。左右側壁部１３，１３は、平板状であり、同形状である。この左右側壁部１３，１３は上下寸法が前壁部１１の上下寸法と同じであり、上下方向に長い長方形状である。ここで、上下方向とは消波用ブロック１０が岸壁に設置された状態の鉛直方向（図１の両矢印Ｚ方向）である（以下、同じ。）。左右側壁部１３，１３は前壁部１１の左右両端部に連続している。この左右側壁部１３，１３は前壁部１１に対して直角に後方向に伸びている。ここで、後方向とは消波用ブロック１０が岸壁に設置された状態で前壁部１１から岸壁に向いた方向（図１の矢印Ｙ方向）である。後壁部１５は平板状である。後壁部１５は、外形状が前壁部１１の外形状と同じであり、左右方向に長い長方形状である。後壁部１５は、左右側壁部１３，１３の後端部に左右両端部が連続し、前壁部１１に平行である。底壁部１７は平板状である。底壁部１７は、左右寸法が前壁部１１及び後壁部１５の左右寸法と同じであり、左右方向に長い長方形状である。底壁部１７は、前壁部１１、左右側壁部１３，１３、及び後壁部１５で囲まれた下端開口を封鎖し、後端部が後壁部１５より後方向にはみ出している。
【００１７】
また、消波用ブロック１０は、前壁部１１、左右側壁部１３，１３、後壁部１５、及び底壁部１７に囲まれた内部空間を仕切る第１隔壁部２１、第２隔壁部２２、第３隔壁部２３、第４隔壁部２４、及び第５隔壁部２５を有している。第１隔壁部２１は平板状である。この第１隔壁部２１は、左右方向に長い長方形状であり、左右側壁部１３，１３の前後中央部に左右両端部が連続し、前壁部１１と後壁部１５とに平行に伸びている。つまり、第１隔壁部２１は内部空間を前側の前方空間と後側の後方空間に区画している。第２隔壁部２２は、平板状であり、横方向に長い長方形状である。第２隔壁部２２は前方空間を上下に略２等分している。つまり、第２隔壁部２２は、４つの外周辺部の夫々が、前壁部１１、左右側壁部１３，１３の前側、及び第１隔壁部２１の夫々の上下方向の略中央部に連続している。
【００１８】
第３隔壁部２３は、平板状であり、上下方向に長い長方形状である。第３隔壁部２３は、４枚設けられており、第２隔壁部２２によって区画された前方空間の上側空間を左右方向に略５等分している。つまり、４枚の第３隔壁部２３は、消波用ブロック１０の前方空間の上側空間の左右方向に略等間隔に設けられている。各第３隔壁部２３は、外周辺部の３辺が前壁部１１の上側、第１隔壁部２１の上側、及び第２隔壁部２２に連続している。このように、消波用ブロック１０の前方空間の上側空間を分割して形成された５室の夫々が第１消波用空間Ｒ１である。消波用ブロック１０は、各第１消波用空間Ｒ１の上方が開口しており、５個の上開口部１９Ａを形成した上壁部１９を有している。上壁部１９は、前壁部１１、左右側壁部１３，１３、第１隔壁部２１、及び第３隔壁部２３の上端部によって形成されている。
【００１９】
第４隔壁部２４は、平板状であり、上下方向に長い長方形状である。第４隔壁部２４は、４枚設けられており、第２隔壁部２２によって区画された前方空間の下側空間を左右方向に略５等分している。つまり、４枚の第４隔壁部２４は、消波用ブロック１０の前方空間の下側空間の左右方向に略等間隔に設けられている。各第４隔壁部２４は、外周辺部の夫々が前壁部１１の下側、第１隔壁部２１の下側、第２隔壁部２２、及び底壁部１７の前側に連続している。このように、消波用ブロック１０の前方空間の下側空間を分割して形成された５室が第２消波用空間Ｒ２である。
【００２０】
第５隔壁部２５は平板状である。この第５隔壁部２５は、上下寸法が第１隔壁部２１の上下寸法と同じであり、上下方向に長い長方形状である。第５隔壁部２５は、４枚設けられており、第２隔壁部２２によって区画された後方空間を左右方向に略５等分している。つまり、４枚の第５隔壁部２５は、消波用ブロック１０の後方空間の左右方向に略等間隔に設けられている。各第５隔壁部２５は、外周辺部の３辺が第１隔壁部２１、底壁部１７の後側、後壁部１５に連続している。
【００２１】
この消波用ブロック１０は、５室の第１消波用空間Ｒ１、５室の第２消波用空間Ｒ２及び５室の岸壁側空間Ｒ３を有している。前壁部１１は、消波用ブロック１０が岸壁に設置された状態で鉛直方向に伸びたスリット状の第１前開口部１１Ａを第１消波用空間Ｒ１毎に３個ずつ貫設している。つまり、前壁部１１は１５個の第１前開口部１１Ａを貫設している。各第１前開口部１１Ａは第１消波用空間Ｒ１と外部とを連通している。また、前壁部１１は、正方形状の第２前開口部１１Ｂを第２消波用空間Ｒ２毎に１個ずつ貫設している。つまり、前壁部１１は第２前開口部１１Ｂを第１前開口部１１Ａより下側に設けている。各第２前開口部１１Ｂは第２消波用空間Ｒ２と外部とを連通している。５室の岸壁側空間Ｒ３はそれぞれの内側にコンクリートが充填されている。これにより、この消波用ブロック１０は、海に面した岸壁に設置された場合に、強い波がぶつかっても倒れたり、流失したりすることを抑えることができる。
【００２２】
波力発電装置は各第１消波用空間Ｒ１に１ユニットずつ取り付けられる。波力発電装置の１ユニットは、図２及び図３に示すように、固定床部材３０、４個の水車４０、発電装置５０、フレーム６０、前板７０、左右整流板８０Ｌ，８０Ｒ、及びカバー９０を備えている。固定床部材３０は、１つの上開口部１９Ａを塞ぐ大きさの四角形状の床部３１と、床部３１の周縁から上方に立ち上がった立壁部３３とを有している。立壁部３３は帯状であり所定の高さを有している。床部３１と立壁部３３とは防水性を有する樹脂製のシート部材から形成されている。
【００２３】
各ユニットに設けられた水車４０は、軸部４１と、軸部４１の周りに形成された回転翼部４３とを有している。軸部４１は固定床部材３０の床部３１を水密状かつ回転自在に上下方向に貫通している。このように、固定床部材３０は、防水性を有するシート部材から形成され、軸部４１が水密状に貫通して回転自在に取り付けられているため、消波用ブロック１０に載置して固定されると、第１消波用空間Ｒ１から固定床部材３０よりも上方に水が流出することを防止することができる。回転翼部４３は、図２に示すように、４個の固定部材４５と、３組６個の翼部材４７とを有している。各固定部材４５は中心に軸部４１が貫通した円盤状である。４個の固定部材４５は固定床部材３０よりも下方に位置する軸部４１の上下方向に等間隔で固定されている。最も下の固定部材４５は軸部４１の下端部に固定されている。各翼部材４７は、図２及び図３に示すように、半円筒部材で構成されている。回転翼部４３は軸部４１に固定された固定部材４５の間の夫々に軸部４１を対称にして一対の翼部材４７が固定されて形成されている。この水車４０はサポニウス型水車である。
【００２４】
波力発電装置の１ユニットに設けられた４個の水車４０は、図３に示すように、２個の水車４０を後述する前板７０の開口部７１の左右両端縁から第１消波用空間Ｒ１内に伸びる左右整流板８０Ｌ，８０Ｒの近傍に左右方向に並列させて配置している。この波力発電装置は、左右方向に並列した水車４０の軸部４１を開口部７１から離しつつ、互いの距離を離している。これにより、この波力発電装置は隣り合う水車４０の軸部４１の距離が近い場合と比べて、水車４０の直径を大きくすることができる。これにより、この波力発電装置は水車４０に勢いの弱い波がぶつかっても水車４０が効率よく回転することができる。残りの２個の水車４０は、左右整流板８０Ｌ，８０Ｒの近傍に配置された２個の水車４０よりも開口部７１から離れた位置であり、左右整流板８０Ｌ，８０Ｒの近傍に配置された２個の水車４０の左右間隔よりも狭い間隔で左右方向に並列させて配置している。このように４個の水車４０を配置することによって、前板７０の開口部７１を流入出する波が各水車４０を効率よく回転させることができる。
【００２５】
各ユニットに設けられた発電装置５０は、図２及び図４に示すように、４個の流体圧ポンプ５１、循環流路５３、１個の流体圧モーター５５、１個の発電機５７、及び１個のパワーコンディショナー５９を有している。各流体圧ポンプ５１は、各水車４０の軸部４１の上端部を連結し、固定床部材３０上に取り付けられている。各流体圧ポンプ５１は作動流体の流出ポート５１Ａと流入ポート５１Ｂとを有している。各流体圧ポンプ５１は一方向に作動流体を給排する。流体圧モーター５５及び発電機５７は、１個のケース５２内に収納され、固定床部材３０上に取り付けられている。流体圧モーター５５は、一方向に作動流体が給排され、一方向に回転軸が回転する。流体圧モーター５５は作動油の流入ポート５５Ａと流出ポート５５Ｂとを有している。循環流路５３は流体圧モーター５５に対して４つの流体圧ポンプ５１を並列に接続している。詳しくは、図４に示すように、循環流路５３は、各流体圧ポンプ５１の流出ポート５１Ａに接続した複数の第１流路５３Ａと、これら第１流路５３Ａを合流させて流体圧モーター５５の流入ポート５５Ａに接続した上流側流路５３Ｂと、流体圧モーター５５の流出ポート５５Ｂに接続した下流側流路５３Ｃと、下流側流路５３Ｃを分岐して各流体圧ポンプ５１の流入ポート５１Ｂに連通する複数の第２流路５３Ｄとを有している。また、循環流路５３は一方向に作動流体が流れるように、第１流路５３Ａに第１逆止弁５４が設けられ、第２流路５３Ｄに第２逆止弁５６が設けられている。パワーコンディショナー５９は、図２に示すように、後述するカバー９０に取り付けられている。パワーコンディショナー５９は、発電機５７に接続されており、直流発電機が発電した電気を家庭で利用することができるように変換する。
【００２６】
フレーム６０は、図２及び図３に示すように、上下枠６１、６１、４本の縦枠６３、Ｘ状の連結枠６５、及び２本の上下連結枠６７を有している。上下枠６１は４辺が固定床部材３０の床部３１の外形よりも小さい四角形状に形成されている。４本の縦枠６３は上下枠６１の角部同士を連結している。連結枠６５は一対の縦枠６３である後側に位置する２本の縦枠６３の上端部と下端部とを斜めに連結している。この一対の縦枠６３は、固定床部材３０が消波用ブロック１０に載置された状態で、消波用ブロック１０の前壁部１１から水車４０よりも離れた位置で固定床部材３０から垂下している。２本の上下連結枠６７は上下枠６１の左右の中間部を連結している。フレーム６０は、上枠６１が固定床部材３０の床部３１の下面であって、床部３１の外周縁よりも内側に連結されている。縦枠６３は上下寸法が固定床部材３０から垂下する水車４０の上下寸法よりも長い。つまり、下枠６１は水車４０の下方に配置され、一対の縦枠６３の下端に連結している。このように、フレーム６０は固定床部材３０から垂下している４個の水車４０の周りに位置している。このため、フレーム６０は、波力発電装置を消波用ブロック１０に着脱する際、つまり、４個の水車４０を第１消波用空間Ｒ１に出し入れする際、４個の水車４０が消波用ブロック１０の上壁部１９等に衝突することを防止している。
【００２７】
前板７０は、平板であり、フレーム６０の上下枠６１、６１及び前側に位置する２本の縦枠６３、６３の前面に取り付けられている。つまり、前板７０は固定床部材３０から垂下した状態に取り付けられている。この前板７０は左右中央部に鉛直方向に伸びたスリット状の開口部７１を形成している。開口部７１は、波力発電装置を消波用ブロック１０に取り付け、第１消波用空間Ｒ１に前板７０を挿入した際、１個の第１消波用空間Ｒ１に対して設けられた３個の第１前開口部１１Ａの内で中央に位置する第１前開口部１１Ａに重ね合わせられる（図３参照）。
【００２８】
左右整流板８０Ｌ，８０Ｒは、上下寸法が前板７０の上下寸法と同じであり、上下方向に長い長方形状の板材を湾曲させて形成されている。前板７０の開口部７１の左側に配置された左整流板８０Ｌは一方の長辺部を前板７０の開口部７１の上下方向に伸びる左側端縁に連結させている。また、この左整流板８０Ｌは、フレーム６０内を湾曲しながら左方向に伸びており、他方の長辺部を左側の上下連結枠６７に連結している。また、前板７０の開口部７１の右側に配置された右整流板８０Ｒは一方の長辺部を前板７０の開口部７１の上下方向に伸びる右側端縁に連結されている。また、この右整流板８０Ｒは、フレーム６０内を湾曲しながら右方向に伸びており、他方の長辺部を右側の上下連結枠６７に連結している。つまり、左右整流板８０Ｌ，８０Ｒは、固定床部材３０が消波用ブロック１０に載置された状態で、消波用ブロック１０の前壁部１１に形成された第１前開口部１１Ａの左右両端縁から第１消波用空間Ｒ１内に伸びている。さらに、左右整流板８０Ｌ，８０Ｒは、消波用ブロック１０の前壁部１１に形成された第１前開口部１１Ａから離れるにつれて互いの間の寸法が大きくなっている。左右整流板８０Ｌ，８０Ｒによって、第１消波用空間Ｒ１内で波が淀みなく前板７０の開口部７１及び消波用ブロック１０の第１前開口部１１Ａを流入出することができる。この波力発電装置はフレーム６０に、前板７０及び左右整流板８０Ｌ，８０Ｒが取り付けられている。つまり、この波力発電装置はフレーム６０に前板７０及び左右整流板８０Ｌ，８０Ｒを取り付けることによって補強されている。このため、この波力発電装置は、耐波性能をより向上させることができる。
【００２９】
カバー９０は、図１及び図２に示すように、固定床部材３０の床部３１に相似形であり僅かに大きい四角形状の上面部９１と、上面部９１の周縁から下方に垂下した周壁部９３と、上面部９１の４隅に取り付けられた４個のフック９５とを有している。周壁部９３は帯状であり上下寸法が固定床部材３０の立壁部３３の上下寸法よりも大きい。カバー９０は、フック９５にクレーン車等の吊上げ具を連結して引上げ、固定床部材３０の上側から固定床部材３０及び固定床部材３０の床部３１に取り付けられた発電装置５０の各構成物を覆うように載置される。カバー９０は上面部９１上にパワーコンディショナー５９が取り付けられている。波力発電装置は、カバー９０を固定床部材３０の上側から載置することによって、固定床部材３０の床部３１に取り付けられた発電装置５０の各構成物（流体圧ポンプ５１、循環流路５３、流体圧モーター５５、発電機５７等）に雨や波しぶき等がかかることを防止することができる。また、波力発電装置が海に面した岸壁に設置された消波用ブロック１０に取り付けられた場合、カバー９０を固定床部材３０の上側から載置することによって、固定床部材３０の床部３１に取り付けられた発電装置５０の各構成物の塩害を防止することができる。また、この波力発電装置は、カバー９０の上面部９１の４隅に取り付けられた４個のフック９５にクレーン車等の吊上げ具を連結することによって容易にカバー９０の着脱ができる。これにより、この波力発電装置はメンテナンスを容易に実施することができる。
【００３０】
この波力発電装置は、固定床部材３０、４個の水車４０、発電装置５０、フレーム６０、前板７０、及び左右整流板８０Ｌ，８０Ｒを一体にしている(ユニット化されている。)。このため、この波力発電装置は、消波用ブロック１０の第１消波用空間Ｒ１毎に上壁部１９に形成され上開口部１９Ａから固定床部材３０より下方に配置された４個の水車４０及びフレーム６０を第１消波用空間Ｒ１に挿入しながら、固定床部材３０を消波用ブロック１０に載置して固定することができる。カバー９０は、消波用ブロック１０に固定床部材３０を固定した後、固定床部材３０の上側から載置される。このようにして、この波力発電装置は消波用ブロック１０に取り付けることができる。つまり、この波力発電装置は岸壁に設置された消波用ブロック１０の上開口部１９Ａに後から設置（アドオン）することができる。このため、この波力発電装置は、設置する際に作業者が潜水する必要がなく、設置する手間を抑えることができる。また、水車４０のメンテナンス等を行う際は、カバー９０を取り外した後、固定床部材３０を消波用ブロック１０から取り外しながら、水車４０を第１消波用空間Ｒ１から引き抜くことができる。これにより、この波力発電装置は作業者が潜水することなくメンテナンスを容易に実施することができる。
【００３１】
このように、この波力発電装置は固定床部材３０を消波用ブロック１０に載置して固定される。消波用ブロック１０は前壁部１１と上壁部１９とを有している。消波用ブロック１０の前壁部１１は、消波用ブロック１０が岸壁に設置された状態で鉛直方向に伸びた１５個のスリット状の第１前開口部１１Ａが形成されている。第１前開口部１１Ａは消波用ブロック１０の内部に形成された第１消波用空間Ｒ１と外部とを連通している。消波用ブロック１０の上壁部１９は消波用空間の上方を開口した上開口部１９Ａが形成されている。波力発電装置は、固定床部材３０、水車４０、及び発電装置５０を備えている。水車４０は固定床部材３０に回転自在に取り付けられている。この水車４０は消波用ブロック１０の上開口部１９Ａから第１消波用空間Ｒ１内に挿入される。発電装置５０は固定床部材３０上に取り付けられている。この発電装置５０は水車４０が回転することによって発電する。
【００３２】
この波力発電装置は固定床部材３０に水車４０及び発電装置５０が取り付けられている。このため、この波力発電装置は、固定床部材３０を消波用ブロック１０に載置して固定する際に、水車４０を消波用ブロック１０の上壁部１９の上開口部１９Ａから第１消波用空間Ｒ１内に挿入して配置することができ、かつ、発電装置５０を消波用ブロック１０に組み付けることができる。また、この波力発電装置は、固定床部材３０を消波用ブロック１０から取り外せば、水車４０を第１消波用空間Ｒ１から引き抜くことができ、かつ発電装置５０を消波用ブロック１０から取り外すことができる。
【００３３】
したがって、実施形態１の波力発電装置は消波用ブロック１０への着脱を容易に行うことができる。
【００３４】
また、この波力発電装置は固定床部材３０から垂下した前板７０を備えている。この前板７０は消波ブロックの第１前開口部１１Ａに重ね合わせられるスリット状の開口部７１を有している。このように、この波力発電装置は、水車４０が取り付けられている固定床部材３０から垂下した前板７０に開口部７１を形成しているため、水車４０と、波が流入出する開口部７１との位置関係を予め正確に所定の位置に設定することができる。これにより、この波力発電装置は、消波ブロックの第１前開口部１１Ａに対して水車４０の位置を容易に最適な位置に配置することができる。このため、この波力発電装置は消波ブロックの第１前開口部１１Ａに対する水車４０の位置の調整に手間をかけることなく、開口部７１を流入出する波が水車４０を効率よく回転させ、発電することができる。
【００３５】
また、この波力発電装置の固定床部材３０は防水性を有し、軸部４１が水密状に貫通して回転自在に取り付けられており、消波用空間から固定床部材３０よりも上方に水が流出することを防止する。このように、この波力発電装置は、第１消波用空間Ｒ１内の水が固定床部材３０上に流出せず、固定床部材３０上に取り付けられた発電装置５０が水に浸漬することを防止することができる。また、この発電装置５０は、作動流体が発電装置５０から漏出しても、作動流体が固定床部材３０から外へ漏出することを抑えることができる。このため、この波力発電装置は、長期間、良好に発電することができる。
【００３６】
また、この波力発電装置は、一対の縦枠６３、連結枠６５、及び下枠６１を備えている。一対の縦枠６３は固定床部材３０が消波用ブロック１０に載置された状態で、消波用ブロック１０の前壁部１１から水車４０よりも離れた位置で固定床部材３０から垂下する。連結枠６５は一対の縦枠６３の上端部と下端部とを斜めに連結する。下枠６１は水車４０の下方に配置され、一対の縦枠６３の下端に連結する。このように、この波力発電装置は水車４０を第１消波用空間Ｒ１に出し入れする際、水車４０が消波用ブロック１０の上壁部１９等に衝突することを防止することができる。
【００３７】
また、この波力発電装置は、一対の整流板８０Ｒ、８０Ｌを備えている。一対の整流板８０Ｒ、８０Ｌは固定床部材３０が消波用ブロック１０に載置された状態で、消波用ブロック１０の前壁部１１に形成された前開口部１１Ａの左右両端縁から第１消波用空間Ｒ１内に伸びて、前開口部１１Ａから離れるにつれて互いの間の寸法が大きくなる。このように、この波力発電装置は第１消波用空間Ｒ１内で波が淀みなく前板７０の開口部７１及び消波用ブロック１０の前開口部１１Ａを流入出することができる。
【００３８】
本発明は上記記述及び図面によって説明した実施形態１に限定されるものではなく、例えば次のような実施形態も本発明の技術的範囲に含まれる。
（１）実施形態１では、波力発電装置が前板を備えているが、前板を備えなくてもよい。
（２）実施形態１では、波力発電装置の前板に１個の開口部を形成しているが、消波用ブロックに設けられた第１前開口部に重ね合わせるように複数個の開口部を前板に形成してもよい。
（３）実施形態１では、波力発電装置が整流板を備えているが、整流板を備えなくてもよい。
（４）実施形態１では、１個の波力発電装置が４個の水車を備えているが、１〜３個、又は５個以上の水車を備えていてもよい。
（５）実施形態１では、波力発電装置の水車がサポニウス型の水車であるが、他の形態の水車であってもよい。
（６）実施形態１では、発電装置が流体圧ポンプ、循環流路、流体圧モーターを利用して水車の回転エネルギーを発電機の駆動エネルギーに変換して発電しているが、水車の軸部に直接的に発電機を連結して発電してもよい。
（７）実施形態１では、固定床部材が樹脂製のシート部材から形成されているが、固定床部材とは別の防水シートを固定床部材に重ね合わせて、第１消波用空間から固定床部材よりも上方に水が流出することを防止してもよい。
（８）実施形態１では、波力発電装置がカバーを備えているが、カバーを備えなくてもよい。
（９）実施形態１では、岸壁側空間の内側にコンクリートを充填しているが、これに限らず、岸壁側空間の内側に砕石等を充填しても良い。
（１０）実施形態１では、第１前開口部を第１消波用空間毎に３個ずつ貫設しているが、これに限らず、第１前開口部を第１消波用空間毎に３個未満貫設してもよく、３個より多く貫設しても良い。この場合、波力発電装置を第１消波用空間に固定した状態において、前壁部が前板の開口部を覆わない。
【符号の説明】
【００３９】
１０…消波用ブロック、１１…前壁部、１１Ａ…第１前開口部（前開口部）、１９…上壁部、１９Ａ…上開口部、Ｒ１…第１消波用空間（消波用空間）、３０…固定床部材、４０…水車、４１…軸部、５０…発電装置、６１…下枠、６３…縦枠、６５…連結枠、７０…前板、７１…開口部、８０Ｒ、８０Ｌ…左右整流板（一対の整流板）
【図１】
2017020402.tif 000003
【図２】
2017020402.tif 000004
【図３】
2017020402.tif 000005
【図４】
2017020402.tif 000006